(57)【要約】      （修正有）【課題】オリジナル文書データを含んで構成された結合文書データを容易に検索する方法を提供する。【解決手段】結合文書を作る際に、オリジナル文書の識別情報とオリジナル文書データを一緒に組み入れることとした。これによって、文書管理システムは、オリジナル文書データの識別情報を取得し（ステップＳ１１２）、前記識別情報を有する前記オリジナル文書データを含んで構成された結合文書データを検索する（ステップＳ１１４）ことができる。【選択図】  図１
2006163524.tif 000002
【特許請求の範囲】
【請求項１】
オリジナル文書データの識別情報を取得する取得部と、
前記取得部によって取得された識別情報を有する前記オリジナル文書データを含んで構成された結合文書データを検索する結合文書データ検索部と、
を備えることを特徴とする文書検索システム。
【請求項２】
前記オリジナル文書データとその識別情報とを関連付けた情報を記憶手段に記憶させる管理部を備え、
前記取得部は、前記記憶手段に記憶された前記情報に基づいて前記識別情報を取得することを特徴とする請求項１に記載の文書検索システム。
【請求項３】
前記オリジナル文書データを選択する選択部を備え、
前記取得部は、前記選択部で選択された前記オリジナル文書データに関連付けられた前記識別情報を前記記憶手段に記憶された前記情報に基づいて取得することを特徴とする請求項２に記載の文書検索システム。
【請求項４】
前記オリジナル文書データをその識別情報を含めて複数結合させて前記結合文書データを作成する作成部を備えることを特徴とする請求項１乃至請求項３のいずれか１項に記載の文書検索システム。
【請求項５】
入力された検索キーワードに基づいて前記オリジナル文書データ及び前記結合文書データの少なくとも一方を検索する一般文書データ検索部を備えることを特徴とする請求項１乃至請求項４のいずれか１項に記載の文書検索システム。
【請求項６】
オリジナル文書データの識別情報を取得する取得工程と、
前記取得工程において取得された識別情報を有する前記オリジナル文書データを含んで構成された結合文書データを検索する結合文書検索工程と、
を含むことを特徴とする文書検索方法。
【請求項７】
前記オリジナル文書データとその識別情報とを関連付けた情報を記憶手段に記憶させる工程を含み、
前記取得工程では、前記記憶手段に記憶された前記情報に基づいて前記識別情報を取得することを特徴とする請求項６に記載の文書検索方法。
【請求項８】
前記オリジナル文書データを選択する選択工程と、
前記取得工程では、前記選択工程で選択された前記オリジナル文書データに関連付けられた前記識別情報を前記記憶手段に記憶された前記情報に基づいて取得することを特徴とする請求項７に記載の文書検索方法。
【請求項９】
前記オリジナル文書データをその識別情報を含めて複数結合させて前記結合文書データを作成する工程を含むことを特徴とする請求項６乃至請求項８のいずれか１項に記載の文書検索方法。
【請求項１０】
検索キーワードを入力する工程と、
前記入力された検索キーワードに基づいて前記オリジナル文書データ及び前記結合文書データの少なくとも一方を検索する一般文書データ検索工程と、
を含むことを特徴とする請求項６乃至請求項９のいずれか１項に記載の文書検索方法。
【請求項１１】
請求項６乃至請求項１０のいずれか１項に記載の文書検索方法を実行することを特徴とするプログラム。
【請求項１２】
請求項６乃至請求項１０のいずれか１項に記載の文書検索方法を実行するプログラムを記憶していることを特徴とする記憶媒体。
【発明の詳細な説明】
【技術分野】
【０００１】
本発明は、オリジナル文書データを含んで構成された結合文書データを検索する文書検索システム、文書検索方法、プログラム及び記憶媒体に関する。
【背景技術】
【０００２】
従来の文書管理装置では、インデックス検索、全文検索及び文書概念を用いて、管理した文書データを検索していた。インデックス検索は、インデックスを用いて文書データを検索する方法である。全文検索は、入力された文字列に一致する部分を文書データ中から検索する方法である。文書概念による検索は、文書データの内容を概念的に表すキーワードを予め登録しておき、入力された文字列と同じ意味のキーワードを持つ文書データを検索する方法である。
【特許文献１】特開２００３−３１６７７３号公報
【発明の開示】
【発明が解決しようとする課題】
【０００３】
しかしながら、従来の文書管理アプリケーションでは、複数の文書データを結合した結合文書を検索する場合、上記の検索方法を用いて入力した検索キーワードに基づいて結合文書を検索することは可能であったが、元の文書データ（以下「オリジナル文書データ」という。）から作成された結合文書を検索する手法は考えられていなかった。そのため、ユーザは、オリジナル文書がどの結合文書に結合されたのかを知りたい場合、検索キーワードを入力して結合文書データを検索した後に、検索された結合文書データからオリジナル文書を含むものをユーザが探し出さなければならず、多くの手間と作業時間を要していた。
【０００４】
本発明は、上記の問題点に鑑みてなされたものであり、オリジナル文書データを含んで構成された結合文書データを容易に検索することを目的とする。
【課題を解決するための手段】
【０００５】
本発明の第１の側面は、文書検索システムに係り、オリジナル文書データの識別情報を取得する取得部と、前記識別情報を有する前記オリジナル文書データを含んで構成された結合文書データを検索する結合文書データ検索部と、を備えることを特徴とする。
【０００６】
本発明の第２の側面は、文書検索方法に係り、オリジナル文書データの識別情報を取得する工程と、前記識別情報を有する前記オリジナル文書データを含んで構成された結合文書データを検索する結合文書検索工程と、を含むことを特徴とする。
【０００７】
本発明の第３の側面は、プログラムに係り、上記の文書検索方法を実行することを特徴とする。
【０００８】
本発明の第４の側面は、記憶媒体に係り、上記の文書検索方法を実行するプログラムを記憶していることを特徴とする。
【発明の効果】
【０００９】
本発明によれば、オリジナル文書データを含んで構成された結合文書データを容易に検索することができる。
【発明を実施するための最良の形態】
【００１０】
以下、本発明の好適な実施の形態について、図面を参照しながら説明する。
[第１の実施形態]
図２は、本発明の好適な実施の形態に係る文書検索システム２００の概略構成を示した図である。中央処理装置２０３は、文書検索システム２００全体の制御やメモリ２０５に格納されたプログラムの実行等を行う。記憶装置２０４は、例えば、ハードディスク等で構成される。メモリ２０５は、記憶装置２０４に記憶されたプログラムやデータを読み込んで格納する。一般的には、メモリ２０５の容量は記憶装置２０４の容量よりも小さく、メモリ２０５に格納しきれないプログラムやデータは、記憶装置２０４に格納される。長時間記憶しなければならないプログラムやデータも記憶装置２０４に格納される。本実施形態では、記憶装置２０４にプログラムを格納し、プログラム実行時にメモリ２０５に読み込んで、中央処理装置２０３がプログラムの実行処理を行う。入力装置２０２は、マウスやキーボードの他、画像データの入力に必要なカードリーダー、スキャナ、フィルムスキャナ等を含む。表示装置２０１は、モニタ、プリンタ等を含む。外部インターフェース２０６は、他の装置と情報や信号の授受を行うための装置である。
【００１１】
図３（ａ）、（ｂ）は、文書検索システム２００の表示装置２０１に表示されるメインウィンドウ３００の概略を示す図である。
【００１２】
図３（ａ）は、格納領域α内の文書データをサムネイル形式でメインウィンドウ３００内に表示したサムネイル表示画面３０１を示す図である。サムネイル表示画面３０１には、格納領域αに格納された４つの文書データＡ、Ｂ、Ｃ、Ｄが表示されている。図３（ａ）、（ｂ）では、４つの文書データＡ、Ｂ、Ｃ、Ｄが格納領域αに格納されている場合を示しているが、本発明はこれに限定されず、任意の数の文書データが格納領域α（及び格納領域β、γ）に格納され得る。
【００１３】
文書データＡは、アプリケーション文書データのサムネイル画像を示している。このサムネイル画像の右下には、アプリケーションアイコンＺが表示されている。文書データＢは、画像データのサムネイル画像を示している。このサムネイル画像の下方には、頁めくりを表す矢印が表示されている。例えば、文書データＢのサムネイル画像の下に表示された「２／３」は、３枚の画像データのうち、２枚目の画像データが表示されていることを示している。文書データＣ及び文書データＤについても、同様にして、頁めくりが表示されている。文書データＣは、バインダ文書データである。バインダ文書データは、複数の文書データを１つに結合した結合文書データである。バインダ文書データは、オリジナル文書データとイメージ作成用のドライバで印刷させた頁毎の画像データとを保持してもよいし、アプリケーション文書データ又はイメージ文書データを単独でバインダ文書データにしてもよい。文書データＤは、アプリケーション文書データ又はイメージ文書データを結合した印刷属性付の結合文書データ（以下「印刷属性付結合文書データ」という。）である。文書データＤは、文書データＣのバインダ文書データと異なって、オリジナルデータを保持せずにイメージ作成用のドライバで印刷させた文書データのみを保持し、面つけ情報等の印刷属性（例えば、Ｚ折り、パンチ穴等）を設定できる。
【００１４】
図３（ｂ）は、メインウィンドウ３００内に格納領域α内の文書データをリスト形式で表示したときのリスト表示画面３０２を示す図である。図３（ｂ）では、「オブジェクト名」「サイズ」「文書ＩＤ」「頁数」「属性」が示されているが、特に限定されるものではない。リスト表示画面３０２のリスト表示項目は、ユーザが選択することができる。３０３は、表示する格納領域を変更するためのボタンである。図３では、一例として、３つの格納領域α、β、γが示されているが、これに限定されず、任意の数の格納領域を用いることが出来る。３０４は、「サムネイル表示」と「リスト表示」とを選択するためのボタンである。図３（ａ）は、「サムネイル表示」が選択されて、文書データＡ〜Ｄのサムネイル画像がそれぞれサムネイル表示画面３０１に表示された状態を示している。図３（ｂ）は、「リスト表示」が選択されて、文書データＡ〜Ｄの「オブジェクト名」「サイズ」「文書ＩＤ」「頁数」「属性」がそれぞれリスト表示画面３０２に表示された状態を示している。
【００１５】
図４は、本実施形態に係る結合文書データの検索方式で扱うデータのファイルフォーマットの一例を示す図である。
【００１６】
図４（ａ）は、本実施形態に係る検索システム２００で保持されるオリジナル文書フォーマット４００の一例を示す図である。オリジナル文書データには、アプリケーション文書データとイメージ文書データとが存在する。外部インターフェース２０６から検索システム２００内にオリジナル文書データをインポートする等、本検索システム２００にオリジナル文書データが入力された時点で、このオリジナル文書データに固有な文書ＩＤ（識別情報）が自動的に生成され、この文書ＩＤと関連付けてオリジナル文書データの実データが記憶装置２０４の文書データベース６００（図６を参照）に格納される。
【００１７】
図４（ｂ）は、本実施形態に係る検索システム２００で保持する結合文書データのフォーマット４０１の一例を示す図である。結合文書データには、結合されたイメージ文書データ、バインダ文書データ、印刷属性付結合文書データがある。イメージ文書データを結合した場合、結合文書フォーマットを保持するイメージ文書データとなる。
【００１８】
オリジナル文書データと結合文書データとの関係を、「オリジナル文書データ＝＞結合文書データ」で表し、複数の文書データの結合の組み合わせを「文書データ＋文書データ」と表して一覧にすると、以下の（１）〜（５）のように示される。
（１）アプリケーション文書データ＝＞バインダ文書データ又は印刷属性付結合文書データ
（２）イメージ文書データ＝＞バインダ文書データ又は印刷属性付結合文書データ
（３）アプリケーション文書データ＋アプリケーション文書データ＝＞バインダ文書データ又は印刷属性付結合文書データ
（４）イメージ文書データ＋イメージ文書データ＝＞結合されたイメージ文書データ、バインダ文書データ又は印刷属性付結合文書データ
（５）アプリケーション文書データ＋イメージ文書データ＝＞バインダ文書データ又は印刷属性付結合文書データ
【００１９】
（１）では、オリジナル文書データが「アプリケーション文書データ」であり、結合文書データが「バインダ文書データ」又は「印刷属性付結合文書データ」である。（２）では、オリジナル文書データが「イメージ文書データ」であり、結合文書データが「バインダ文書データ」又は「印刷属性付結合文書データ」である。（３）では、オリジナル文書データが複数の「アプリケーション文書データ」であり、結合文書データが「バインダ文書データ」又は「印刷属性付結合文書データ」である。（４）では、オリジナル文書データが複数の「イメージ文書データ」であり、結合文書データが結合された「イメージ文書データ」、「バインダ文書データ」又は「印刷属性付結合文書データ」である。（５）では、オリジナル文書データが「アプリケーション文書データ」及び「イメージ文書データ」であり、結合文書データが「バインダ文書データ」又は「印刷属性付結合文書データ」である。
【００２０】
図５は、メインウィンドウ３００内に表示される表示画面を用いて、本実施の形態に係る結合文書データの検索方式を説明する。
【００２１】
まず、ステップＳ５０１では、検索ダイアログ５０１を用いた検索を行う。ユーザが図２の入力装置２０２から検索操作を行う検索ダイアログ５０１をメインウィンドウ３００内に表示する。まず、検索方式を「属性検索」（例えば、文書名、インデックス値、日付等）、「全文検索」及び「概念検索」の中から選択し、入力装置２０２からそれぞれの方式に必要な項目を入力して「文書検索」ボタン５０４を押下する。すると、ステップＳ５０２に進み、一般文書検索結果表示ダイアログ５０２が表示される。
【００２２】
ステップＳ５０２では、一般文書検索結果表示ダイアログ５０２を用いた検索を行う。一般文書検索結果表示ダイアログ５０２の先頭行には、検索数が表示される。図５では、検索数が「５」と示されており、一般文書検索結果表示ダイアログ５０２中に表示された文書データの数に対応する。また、一般文書検索結果表示ダイアログ５０２中に表示された文書データを選択する毎に、先頭行に格納場所が表示され（図５では、格納場所はα）、左側にサムネイル画像が表示される。次に、一般文書検索結果表示ダイアログ５０２中に表示された文書データを１つ選択して、「結合文書検索」ボタン５０５を押下する。すると、ステップＳ５０３に進み、選択した文書データから結合された結合文書データが結合文書検索結果表示ダイアログ５０３に表示される。
【００２３】
ステップＳ５０３では、ステップＳ５０２で文書データＡが選択されたとすると、文書データＡを含んで構成されたバインダ文書データＣ及び印刷属性付結合文書データＤの２つの結合文書データが検索される。このように、オリジナルの文書データに基づいて作成された結合文書データを容易に検索することができる。
【００２４】
図６は、本実施形態に係る結合文書データの検索方式で扱う結合を示す構成図である。
【００２５】
この例では、文書データを管理する文書管理アプリケーション６１０と、文書データを結合する結合アプリケーション６２０（例えば、イメージ編集アプリケーション、バインダアプリケーション及び印刷支援アプリケーション等）は、別のアプリケーションという位置付けになっているが、本発明はこれに限定されない。また、この例では、各アプリケーションが、図２の記憶装置２０４に格納される場合を示したが、本発明はこれに限定されず、他の記憶媒体や他の装置等に格納されてもよい。
【００２６】
結合アプリケーション６２０において２つの文書データを結合する場合には、まず、文書管理アプリケーション６１０が、文書データベースに格納されたオリジナル文書データの実データ（例えば、図４（ａ）では「ａ．ｔｘｔ」）及びそのＩＤ（例えば、図４（ａ）では「２００２１０２６００１」）を文書データベース６００から取得する。文書データベース６００には、オリジナル文書データの実データ及びそのＩＤが、図４（ａ）のオリジナル文書フォーマット４００のように関連付けて記憶されている。次いで、結合アプリケーション（例えば、イメージ編集ソフト、バインダソフト、印刷支援ソフト等）６２０を起動し、文書データベース６００から取得した文書データの実データ及びそのＩＤが、文書管理アプリケーション６１０から結合アプリケーション６２０に送付される。
【００２７】
文書管理アプリケーション６１０から送付された文書データがアプリケーション文書データの場合には、結合アプリケーション６２０は、１頁毎の印刷イメージをイメージ作成用ドライバを用いて作成する。結合アプリケーション６２０は、複数の文書データの実データ（例えば、図４（ｂ）では、「ａ．ｔｘｔ」、…、「ｂ．ｂｍｐ」）と、１頁毎の印刷イメージと、文書ＩＤ（例えば、図４（ｂ）では「２００２１０２６００１」、…、「２００２１０２６００Ｎ」）とを、図４（ｂ）のフォーマット４０１に示すように結合して、結合文書データを作成する。次いで、結合アプリケーション６２０は、作成した結合文書データを文書管理アプリケーション６１０に送付する。文書データ管理アプリケーション６１０は、結合アプリケーション６２０から送付された結合文書データを、文書データベース６００内に格納する。
【００２８】
なお、各アプリケーションのプログラムは、ＰＣ・ＷＳ側の外部記憶装置（ＦＤ、ＣＤ−ＲＯＭ、ＲＯＭ、磁気テープ等）及びプリンタ側の記憶媒体に記憶されて、それぞれの中央処理装置内の読み取り装置（図示せず）によって、記憶装置（メモリ）に記憶されてもよい。
【００２９】
また、本実施の形態は、システム又は装置にプログラムを供給することによって実施される場合にも適用されることはいうまでもない。この場合、本実施の形態に係るプログラムを格納した記憶媒体が、本実施の形態を構成することになる。そして、該記憶媒体からそのプログラムをシステムあるいは装置に読み込ませることによって、そのシステムあるいは装置が予め定められた方法で動作する。
【００３０】
図７を参照して、結合文書データを作成する場合に必要な処理をフローチャートを用いて説明する。
【００３１】
図７（ａ）に示す文書管理アプリケーション６１０側において、ステップＳ７０１では、ユーザが、入力装置２０２によって文書データベース６００に格納されたオリジナル文書データから所望のオリジナル文書データを選択する。
【００３２】
ステップＳ７０２では、ユーザが選択したオリジナル文書データの文書名を文書データベース６００から取得する。すなわち、図２の中央処理装置２０３が、ユーザによって入力装置２０２から入力された文書名に基づいて、文書データベース６００中のフォーマット４００（図４（ａ）を参照）を参照して、その文書データの実データ（例えば、図４（ａ）では「ａ．ｔｘｔ」）及びこれに関連付けて記憶された文書ＩＤ（例えば、図４（ａ）では「２００２１０２６００１」）を取得する。
【００３３】
ステップＳ７０３では、文書管理アプリケーション６１０が、結合アプリケーション（例えば、イメージ編集アプリケーション、バインダアプリケーション、印刷支援アプリケーション等）６２０に、オリジナル文書データの実データ及び文書ＩＤを送信する。
【００３４】
ステップＳ７０４では、文書管理アプリケーション６１０が、結合アプリケーション６２０からの応答を待つ。
【００３５】
図７（ｂ）に示す結合アプリケーション６２０側の結合処理において、まず、ステップＳ７１１では、結合アプリケーション６２０は、文書管理アプリケーション６１０から送付された文書データが、アプリケーション文書データか否かを判断する。アプリケーション文書データであると判断すれば（ステップＳ７１１で「ＹＥＳ」）、ステップＳ７１２に進み、イメージ作成用のドライバを用いて１頁毎の印刷データを作成する。アプリケーション文書データであると判断しなければ（ステップＳ７１１で「ＮＯ」）、ステップＳ７１３に進む。
【００３６】
ステップＳ７１３では、フォーマット４０１に示すように、オリジナル文書データの実データ（例えば、図４（ｂ）では、「ａ．ｔｘｔ」、…、「ｂ．ｂｍｐ」）、その文書ＩＤ（例えば、図４（ｂ）では「２００２１０２６００１」、…、「２００２１０２６００Ｎ」）及び印刷データを結合する。
【００３７】
ステップＳ７１４では、結合アプリケーション６２０が、印刷属性設定アプリケーションであるか否かを判断する。印刷属性設定アプリケーションであると判断されれば（ステップＳ７１４で「ＹＥＳ」）では、ステップＳ７１５に進み、Ｚ折り等の印刷属性をフォーマット４０１を参照して設定する。図４では、結合アプリケーション６２０が印刷属性設定アプリケーションであると判断され、「文書の印刷属性」に設定された「Ｚ折り」に印刷属性が設定される。印刷属性設定アプリケーションであると判断されなければ（ステップＳ７１４で「ＮＯ」）、ステップＳ７１６以降を続行する。
【００３８】
ステップＳ７１６では、ユーザが結合アプリケーション６２０において文書管理アプリケーション６１０への保存処理を選択すると、結合された全データ（オリジナル文書データの実データ、印刷データ、文書ＩＤ、印刷属性等）が文書管理アプリケーショ６１０に戻されて、結合アプリケーション６２０側の結合処理が終了する。
【００３９】
再度、  図７（ａ）に示す文書管理アプリケーション６１０側の処理に戻ると、ステップＳ７０５では、文書管理アプリケーション６１０が、結合アプリケーション６２０から返却された全データを取得する。
【００４０】
ステップＳ７０６では、文書管理アプリケーション６１０は、ユーザが入力装置２０２から入力した結合文書データに対する新規の文書名や格納場所等の属性を取得する。
【００４１】
ステップＳ７０７では、文書管理アプリケーション６１０は、結合文書データのサムネイル画像を作成する。
【００４２】
ステップＳ７０８では、文書管理アプリケーション６１０は、文書管理データベース６００に結合文書データの全データ（オリジナル文書データの実データ、印刷データ、文書ＩＤ、印刷属性等）を格納する。
【００４３】
ステップＳ７０８では、文書管理アプリケーション６１０の表示領域３０１、３０２に結合文書データを表示して処理を終了する。
【００４４】
図１を参照して、本システムの中央処理装置２０３によって実行される文書管理アプリケーション６１０内の文書データの検索に必要な処理を流れ図を用いて説明する。
【００４５】
まず、検索ダイアログ５０１（図５）で一般文書検索を行う場合のフローを説明する。
【００４６】
図１（ａ）に示す一般文書検索において、ステップＳ１０１では、検索アプリケーション６３０（図６）は、ユーザが入力装置２０２から入力した検索方式（例えば、「属性検索」、「全文検索」及び「概念検索」等）を取得する。
【００４７】
ステップＳ１０２では、検索アプリケーション６３０は、検索ダイアログ５０１に示した検索方式に応じてユーザが入力した検索キーワードを取得する。検索キーワードは、例えば、「属性検索」であれば、文書名、インデックス値、日付等であり、「全文検索」及び「概念検索」であれば、検索するための文字列等である。
【００４８】
ステップＳ１０３では、検索アプリケーション６３０は、入力された検索方式と検索キーワードと検索の範囲に基づいて、図６に示す文書データベース６００内の文書データを検索する。
【００４９】
ステップＳ１０４では、検索アプリケーション６３０は、文書データベース６００内で検索された文書データの文書名とその属性（例えば、格納場所、サイズ、サムネイル画像等）を取得する。
【００５０】
ステップＳ１０５では、検索アプリケーション６３０は、一般文書検索での検索結果を一般文書検索結果ダイアログ５０２に表示して処理を終了する。
【００５１】
次いで、ユーザが一般文書検索結果ダイアログ５０２に表示されている文書データを選択して、「結合文書検索」ボタン５０５を押下した場合の処理のフローを説明する。ここでは、文書データＡを選択したとする。
【００５２】
図１（ｂ）に示す結合文書検索において、ステップＳ１１１では、検索アプリケーション６３０は、一般文書検索結果ダイアログ５０２に示されたオリジナル文書データをユーザが入力装置２０２で選択し、「結合文書検索」ボタン５０５を押すと、選択したオリジナル文書データの文書名「Ａ」を取得する。
【００５３】
ステップＳ１１２では、文書データベース６００は、ステップＳ１１１で選択されたオリジナル文書データの文書名「Ａ」を取得し、文書名「Ａ」に関連付けて記憶された文書ＩＤ「２００２１０２６００１」を取得する（図４（ａ）を参照）。
【００５４】
ステップＳ１１３では、文書データベース６００は、文書データＡの文書ＩＤ及び検索範囲（ステップＳ１０３と同様）を検索アプリケーション６３０に送信する。ここで、検索アプリケーション６３０は、文書データＡの文書ＩＤ（例えば、図４（ａ）では「２００２１０２６００１」）に基づいて、文書データベース６００内の文書データのうち文書ＩＤ（例えば、図４（ａ）では「２００２１０２６００１」）を含む結合文書データを検索する。例えば、図４（ｂ）の結合文書フォーマット４０１は、文書ＩＤ「２００２１０２６００１」を含むので、検索アプリケーション６３０によって検索される。
【００５５】
ステップＳ１１４では、検索アプリケーション６３０は、文書データベース６００内で検索された結合文書データの文書名（例えば、図４（ｂ）の結合文書フォーマット４０１では「α」）及びその属性（例えば、格納場所、サイズ、サムネイル画像等）を取得する。
【００５６】
ステップＳ１１５では、検索アプリケーション６３０は、ステップＳ１１４で検索された結合文書データの文書名「Ｃ」「Ｄ」及びその属性「バインダ文書」「印刷属性付バインダ文書」等を、関連文書検索結果表示ダイアログ５０３に表示して検索処理を終了する。
【００５７】
[第２の実施形態]
本実施形態では、文書管理アプリケーションと、結合アプリケーション（例えば、イメージ編集アプリケーション、バインダアプリケーション、印刷支援アプリケーション等）とを別のアプリケーションとするのではなく、それらを１つの機能として、文書管理アプリケーションに組み込むことも可能である。特に、イメージの結合は、イメージ編集アプリケーションを表示しないほうが一般的であり、バインダ機能や、印刷属性設定機能も１つのダイアログで実装することも、十分に一般的である。
【００５８】
以上説明したように、本発明の結合文書データの検索方式によれば、文書管理アプリケーションにおいて、オリジナル文書データから作成された結合文書データを対応させて検索することができる。
【図面の簡単な説明】
【００５９】
【図１】本発明の好適な実施形態に係る文書管理アプリケーション内の文書データを検索する場合に必要な処理を示す流れ図である。
【図２】本発明の好適な実施形態に係る情報システムの構成の一部を示すブロック図である。
【図３】本発明の好適な実施形態に係る文書管理アプリケーション内の文書データを表示するメインウィンドウを示す図である。
【図４】本発明の好適な実施形態に係るオリジナル文書データ及び結合文書データのファイルフォーマットを示す図である。
【図５】本発明の好適な実施形態に係る検索処理を示すブロック図である。
【図６】本発明の好適な実施形態に係る結合処理を示すブロック図である。
【図７】本発明の好適な実施形態に係る結合文書データを作成する場合に必要な処理を示す流れ図である。
【図１】
2006163524.tif 000003
【図２】
2006163524.tif 000004
【図３】
2006163524.tif 000005
【図４】
2006163524.tif 000006
【図５】
2006163524.tif 000007
【図６】
2006163524.tif 000008
【図７】
2006163524.tif 000009